(57)【要約】【課題】ＬＥＤをダイナミック点灯させながら、より人目を引くようにＬＥＤを点灯制御することができる自動販売機の制御装置を提供する。【解決手段】順次走査される複数本のコモン信号ラインＬＣと、ランプ点灯情報に応じてレベルが反転する複数本のランプ信号ラインＬＡ，ＬＢと、これらのコモン信号ラインＬＣおよびランプ信号ラインＬＡ，ＬＢへの出力を制御する制御部１０とを設け、コモン信号ラインＬＣとランプ信号ラインＬＡ，ＬＢとの間に、販売可ランプＡ、売切ランプＢを電気的に介装し、前記制御部１０により、販売可ランプＡ、売切ランプＢの必要なものをダイナミック点灯する自動販売機の制御装置であって、前記制御部１０は、コモン信号ラインＬＣの１周期内の出力の時間割合を変化させることにより、特定の販売可ランプＡや売切ランプＢの明るさを変化させる。【選択図】図３
2008108081.tif 000002
【特許請求の範囲】
【請求項１】
順次走査される複数本のコモン信号ラインと、ランプ点灯情報に応じてレベルが反転する複数本のランプ信号ラインと、これらのコモン信号ラインおよびランプ信号ラインへの出力を制御する制御部とを設け、前記コモン信号ラインとランプ信号ラインとの間に、複数個のランプを電気的に介装し、前記制御部により、前記複数個のランプのうちの必要なものをダイナミック点灯する自動販売機の制御装置であって、
前記制御部は、コモン信号ラインの１周期内の選択期間割合を変化させることにより、ランプの明るさを変化させることを特徴とする自動販売機の制御装置。
【請求項２】
一部のコモン信号ラインの選択期間を他のコモン信号ラインの選択期間とは異ならせることで、ランプの明るさを変化させることを特徴とする請求項１記載の自動販売機の制御装置。
【請求項３】
ランプ信号ラインの１周期内の出力期間に対して、開始時と終了時とはコモン信号ラインを選択状態とし、開始時と終了時との間の中間部の少なくとも一部はコモン信号ラインを非選択状態とすることを特徴とする請求項１または２に記載の自動販売機の制御装置。
【請求項４】
順次走査される複数本のコモン信号ラインと、ランプ点灯情報に応じてレベルが反転する複数本のランプ信号ラインと、これらのコモン信号ラインおよびランプ信号ラインへの出力信号を制御する制御部とを設け、前記コモン信号ラインとランプ信号ラインとの間に商品選択釦に対応して設けられた複数個のランプを介装し、前記制御部により、前記複数個のランプのうちの必要なものをダイナミック点灯する自動販売機の制御装置であって、
前記制御部は、ランプ信号ラインの出力の時間割合を変化させることにより、ランプの明るさを変化させることを特徴とする自動販売機の制御装置。
【請求項５】
ランプ信号ラインの出力時に、コモン信号ラインの選択期間に対するランプ信号の出力割合を変化させることにより、ランプの明るさを変化させることを特徴とする請求項４記載の自動販売機の制御装置。
【請求項６】
コモン信号ラインの１周期内の選択期間に対して、開始時と終了時とはランプ信号ラインを出力状態とし、開始時と終了時との間の中間部の少なくとも一部はランプ信号ラインを非出力状態とすることを特徴とする請求項４または５に記載の自動販売機の制御装置。
【請求項７】
ランプは商品選択釦に対応して設けられたランプであることを特徴とする請求項１〜３の何れか１項に記載の自動販売機の制御装置。
【請求項８】
特定のランプ以外の明るさを低下させることで、複数のランプにおける前記特定のランプの明るさを相対的に上昇させることを特徴とする請求項１〜７の何れか１項に記載の自動販売機の制御装置。
【発明の詳細な説明】
【技術分野】
【０００１】
本発明は自動販売機の制御装置、特に、自動販売機に設けられたランプの制御手法に関する。
【背景技術】
【０００２】
自動販売機は、その外扉の接客面に設けられた見本展示室において、商品展示棚の上に複数の商品見本が横並びに載置されて展示されているとともに、この商品見本に対応して商品選択釦が設けられている。各商品選択釦には、料金が投入されて投入金額が商品の販売価格以上である場合に点灯する販売可ランプと、該当する商品が売切である（機械的な異常により販売ができない場合にも点灯する）ことを示す売切ランプとがそれぞれ内蔵されている。また、これに加えて、商品が補充されたばかりで、まだ適温に達しておらず、調温中（冷却途中または加温途中である）であることを示す準備中ランプを設けたものもある（例えば、特許文献１、２等）。
【０００３】
これらの、販売可ランプ、売切ランプ、準備中ランプとしては発光ダイオード（以下、ＬＥＤと称す）が用いられており、これらのランプの状態としては、一定の明るさの点灯状態と、消灯状態と、点滅状態との３種類がある。なお、実際には、点滅状態は、点灯状態と消灯状態とを切り替える制御を行うことで実現している。
【０００４】
また、近年、販売可ランプとして、前記した販売可状態に点灯させるだけでなく、販売待機状態において、商品展示棚に沿って並べられた複数の商品選択釦に内蔵された販売可ランプを時間差を有して順次横方向に流れるように点灯させて人目を引くように構成することで、自動販売機を目立たせるいわゆるイルミネーション効果を図ったものも既に知られている。
【０００５】
ところで、通常、ＬＥＤを点灯させる電気回路においては、抵抗部品を組込んでいるが、自動販売機には商品選択釦が多数設けられているので、単に、販売可ランプ、売切ランプ、準備中ランプを同時に点灯可能に構成しようとすると、大量のＬＥＤを点灯させる必要がある。しかし、この場合には、その分、大きな電流が流れて、抵抗部品での発熱が問題になってくる。そのため、基本的には同時に点灯させるランプの数から、抵抗部品の発熱量を測定して、その発熱量が規定の温度未満になるように、抵抗部品の抵抗値を決めて対策をしている。そうすると、通常、最大数の販売可ランプを同時に点灯させる確率は非常に小さいにもかかわらず、最大数を考慮しているため、販売可ランプの明るさを下げた値に固定せざるを得ない。このような課題に対処するためには、通常よく点灯するランプ数において、販売可ランプの明るさを下げない工夫がいる。
【０００６】
このような従来の点灯手法（スタティック点灯と称す）の問題に対処するものとして、自動販売機の商品選択釦のＬＥＤの制御方法として、特許文献３などに開示されているように、いわゆるダイナミック点灯方式が採用されている。すなわち、順次走査される複数本のコモン信号ラインと、ランプ点灯情報に応じてレベルが反転する複数本のランプ信号ラインと、これらのコモン信号ラインおよびランプ信号ラインへの出力を制御する制御部とを設け、前記コモン信号ラインとランプ信号ラインとの間に、複数個のランプを電気的に介装し、前記制御部により、前記複数個のランプのうちの必要なものを点灯している。
【０００７】
このダイナミック点灯の方式を採用することで、人の目には点灯しているように見せかけながら、実際にはコモン信号ラインの出力に同期した際だけ点灯しているので、スタティック点灯の場合と比較して、実際のランプの点灯時間を短くできて、通電量を少なくでき、抵抗部品の発熱量を低減できる。
【特許文献１】特開２００１−２３０１６公報
【特許文献２】特開２００２−１７５５６２公報
【特許文献３】特開昭６１−２６７８８８号公報
【発明の開示】
【発明が解決しようとする課題】
【０００８】
しかしながら、前記ダイナミック点灯により商品選択釦の点灯制御を行った場合でも、点灯時の明るさ（人の目で感じる照度や輝度）は常に一定であるので、点灯状態と、消灯状態と、点滅状態との３種類の状態を切り替えるだけの制御では、販売待機時でのイルミネーション効果や、販売拡販中のＬＥＤの点灯方法が限られたものとなって、人目を引き難くなっている。
【０００９】
また、商品選択釦が極めて多い場合や、販売促進用や広告用としてさらにＬＥＤを設けた場合に、ダイナミック点灯を採用している場合でも、ＬＥＤの数が多くなって、これにともない発熱量が多大となってしまうことがある。
【００１０】
本発明は上記課題を解決するもので、ＬＥＤをダイナミック点灯させながら、より人目を引くようにＬＥＤを点灯制御することができ、さらに、この場合にも、発熱量を抑えることができる自動販売機の制御装置を提供することを目的とする。
【課題を解決するための手段】
【００１１】
上記課題を解決するために本発明の自動販売機の制御装置は、順次走査される複数本のコモン信号ラインと、ランプ点灯情報に応じてレベルが反転する複数本のランプ信号ラインと、これらのコモン信号ラインおよびランプ信号ラインへの出力を制御する制御部とを設け、前記コモン信号ラインとランプ信号ラインとの間に、複数個のランプを電気的に介装し、前記制御部により、前記複数個のランプのうちの必要なものをダイナミック点灯する自動販売機の制御装置であって、前記制御部は、コモン信号ラインの１周期内の出力の時間割合を変化させることにより、ランプの明るさを変化させることを特徴とする。
【００１２】
また、本発明は、一部のコモン信号ラインの選択期間を他のコモン信号ラインの選択期間とは異ならせることで、ランプの明るさを変化させることを特徴とする。
また、本発明は、順次走査される複数本のコモン信号ラインと、ランプ点灯情報に応じてレベルが反転する複数本のランプ信号ラインと、これらのコモン信号ラインおよびランプ信号ラインへの出力信号を制御する制御部とを設け、前記コモン信号ラインとランプ信号ラインとの間に商品選択釦に対応して設けられた複数個のランプを介装し、前記制御部により、前記複数個のランプのうちの必要なものをダイナミック点灯する自動販売機の制御装置であって、前記制御部は、ランプ信号ラインの出力の時間割合を変化させることにより、ランプの明るさを変化させることを特徴とする。
【００１３】
また、本発明は、ランプ信号ラインの出力時に、コモン信号ラインの選択期間に対するランプ信号の出力割合を変化させることにより、ランプの明るさを変化させることを特徴とする。
【００１４】
この構成により、ＬＥＤをダイナミック点灯させながら、ランプの明るさを変化させることができるので、より人目を引くようにＬＥＤを点灯制御することができる。
また、本発明は、ランプ信号ラインの１周期内の出力期間に対して、開始時と終了時とはコモン信号ラインを選択状態とし、開始時と終了時との間の中間部の少なくとも一部はコモン信号ラインを非選択状態とすることを特徴とする。
【００１５】
また、本発明は、コモン信号ラインの１周期内の選択期間に対して、開始時と終了時とはランプ信号ラインを出力状態とし、開始時と終了時との間の中間部の少なくとも一部はランプ信号ラインを非出力状態とすることを特徴とする。
【００１６】
この構成により、ランプ信号ラインの１周期内の出力期間（またはコモン信号ラインの１周期内の選択期間）に対して、開始時と終了時とは必ずコモン信号ラインを選択状態とする（またはランプ信号ラインを出力状態とする）ように構成したので、ランプ信号ラインの出力期間（またはコモン信号ラインの選択期間）に対して、常にコモン信号ラインを選択する場合（または常にランプ信号ラインを出力する場合）と比較して、ランプの明るさを相対的に下げることができ、しかも、開始時や終了時にコモン信号ラインを選択しない（またはランプ信号ラインを出力しない）場合と比較して、ランプが点灯しない最長継続時間（連続非点灯時間）を短めにすることができ、この結果、点灯の際のちらつきを抑えることができる。
【００１７】
また、本発明は、特定のランプ以外の明るさを低下させることで、複数のランプにおける前記特定のランプの明るさを相対的に上昇させることを特徴とする。
この構成により、特定のランプの明るさを相対的に上昇させることができながら、特定のランプ以外の明るさを低下させているので、発熱量を抑えることができる。
【発明の効果】
【００１８】
本発明によれば、一部のコモン信号ラインの選択期間を他のコモン信号ラインの選択期間とは異ならせるなどして、コモン信号ラインの１周期内の選択期間の時間割合を変化させたり、ランプ信号ラインの出力時に、コモン信号ラインの選択期間に対するランプ信号ラインの出力割合を変化させるなどして、ランプ信号ラインの出力の時間割合を変化させることにより、ＬＥＤをダイナミック点灯させながら、ランプの明るさを変化させることができるので、より人目を引くようにランプを点灯することができ、販売待機時でのイルミネーション効果をより良好に発揮させることも可能となる。
【００１９】
また、ランプ信号の出力期間に対して、開始時と終了時とはコモン信号ラインを選択し、開始時と終了時との間の中間部の少なくとも一部はコモン信号ラインを非選択状態としたり、コモン信号の選択期間に対して、開始時と終了時とはランプ信号ラインを出力し、開始時と終了時との間の中間部の少なくとも一部はランプ信号ラインを非出力状態としたりすることにより、ランプの明るさを変化させながら、点灯の際のちらつきを抑えることができる。
【００２０】
また、特定のランプ以外の明るさを低下させることで、複数のランプにおける前記特定のランプの明るさを相対的に上昇させることにより、特定のランプの明るさを相対的に上昇させることができながら、発熱量を抑えることができる。
【発明を実施するための最良の形態】
【００２１】
以下、本発明の実施の形態を図面を参照しながら説明する。
図１に示すように、自動販売機本体１に開閉自在に取り付けられた外扉２には、複数の商品見本３が見本棚４上に並べられて展示されているとともに、各商品見本３に対応するように、商品を選択する商品選択釦５が並設されている。また、外扉２には、利用者が投入したコインなどの金額を表示する投入金額表示部６や、コインを投入するコイン投入部９、釣銭や投入金を返却させるための返却レバー７、商品が払い出される商品取出口８などが設けられている。また、図示しないが、自動販売機本体１には商品が収納される複数の商品収納通路と、この商品収納通路内の商品を１つずつ払い出す商品払出装置が設けられている。
【００２２】
この実施の形態においては、図２に示すように、各商品選択釦５には、料金が投入されて投入金額が商品の販売価格よりも大きい場合に点灯する販売可ランプＡと、該当する商品が売切である（機械的な異常により販売ができない場合にも点灯する）ことを示す売切ランプＢとがそれぞれ内蔵されている。これらの販売可ランプＡおよび売切ランプＢとしては発光ダイオード（以下、ＬＥＤと称す）が用いられている。
【００２３】
図３に簡略的に示すように、この自動販売機に設けられた制御部１０には、販売可ランプ点灯情報に応じてレベルが反転する複数本の販売可ランプ信号ラインＬＡ（ＬＡ１〜ＬＡ３）が接続された販売可ランプ制御部１０Ａと、売切ランプ点灯情報に応じてレベルが反転する複数本の売切ランプ信号ラインＬＢ（ＬＢ１〜ＬＢ３）が接続された売切ランプ制御部１０Ｂと、所定周期で出力されるコモン信号ラインＬＣ（ＬＣ１〜ＬＣ３）が接続された走査部１０Ｃとが設けられている。また、前記コモン信号ラインＬＣと販売可ランプ信号ラインＬＡとの間に販売可ランプＡ（Ａ１〜Ａ９）が電気的に介装され、前記コモン信号ラインＬＣと売切ランプ信号ラインＬＢとの間に売切ランプＢ（Ｂ１〜Ｂ９）が電気的に介装され、この制御部１０により、前記複数個の販売可ランプＡおよび売切ランプＢのうちの必要なものをダイナミック点灯するよう構成されている。なお、実際には、販売可ランプＡや売切ランプＢとともに抵抗部品も接続されているが、図３においてはこれらの抵抗部品を省いて簡略的に示している。
【００２４】
ここで、図４に示すように、この実施の形態に係る自動販売機の制御部１０では、コモン信号ラインＬＣ（ＬＣ１〜ＬＣ３）の１周期内の選択期間の時間割合を変化させることにより、ランプの明るさを変化させている。具体的には、この実施の形態においては、３つのコモン信号ＣＯＭ１〜３における、一部のコモン信号ＣＯＭ３の選択期間を他のコモン信号ＣＯＭ１、２の選択期間とは異ならせることで、ランプの明るさを変化させている。なお、この実施の形態では、コモン信号ＣＯＭ１〜３がＯＦＦ状態（ＬＯＷ電圧）であり、販売可ランプ信号１〜３や売切ランプ信号１〜３がＯＮ状態（ＨＩＧＨ電圧）である場合に、該当する販売可ランプＡや売切ランプＢが点灯し、コモン信号ＣＯＭ１〜３がＯＦＦ状態（ＬＯＷ電圧）である場合が選択期間、ＯＮ状態（ＨＩＧＨ電圧）である場合が非選択期間である。
【００２５】
図５は比較例としての旧方式の出力形式を示しているが、旧方式においては、全てのコモン信号ＣＯＭ１〜３における選択期間の時間割合が同じ割合、例えば全て１／３（デューティ約３３％）であったが、本発明の実施の形態では、コモン信号ＣＯＭ１、２における選択期間の時間割合が５／１４（デューティ３６％）、コモン信号ＣＯＭ３における選択期間の時間割合が４／１４（デューティ２９％）とする。
【００２６】
例えば、販売可ランプ信号ラインＬＡ１をＯＮ状態（ＨＩＧＨ電圧）にすると、コモン信号ＣＯＭ１、２のコモン信号ラインＬＣ１、ＬＣ２に接続されている販売可ランプＡ１、Ａ２が、コモン信号ＣＯＭ３のラインＬＡ３に接続されている販売可ランプＡ３よりも点灯時間が長くなるため、自動販売機の利用者にとってはこれらの販売可ランプＡ１、Ａ２が、コモン信号ＣＯＭ３のラインＬＡ３に接続されている販売可ランプＡ３よりも明るく光るように見える。
【００２７】
このように制御することで、特定の販売可ランプＡを他の販売可ランプＡよりも明るく見せたり、暗く見せたりすることが可能となり、例えば、販売待機時のみこのような制御に切り替えることにより、特定の販売可ランプＡが特に目立つようにイルミネーション照明を行うことも可能である。また、特定の販売可ランプＡを徐々に明るくしたり、徐々に暗くしたりすることも可能である。
【００２８】
このように制御しながら、例えば販売待機時において、新発売の商品や販売促進の商品に対応する販売可ランプＡだけを明るめに見えるように点灯させて、人目を引くように構成することで、前記商品の販売向上を図ることができる。
【００２９】
また、販売待機中に、単なる販売可ランプＡの点灯、消灯ではなく、上記のようにして、徐々に明るく見せたり、徐々に暗く見せたりするなど、明るさの変化を付け加えることで、イルミネーション効果を向上させて、集客力を高めることも可能である。
【００３０】
なお、販売可ランプＡに代えて、売切ランプＢを制御したり、販売可ランプＡと売切ランプＢとの両方のランプを制御することも可能である。
また、同時点灯するランプが最大数に達した場合、例えば、全ての販売可ランプＡと売切ランプＢとを全点灯する条件などにおいて、例えば、図４の下半部に示すように、売切ランプＢの出力を販売可ランプＡの出力の略半分の時間割合にする等により、ランプ全体としての発熱量を抑えることが可能である。また、特定のランプ以外の明るさを低下させることで、複数のランプにおける前記特定のランプの明るさを相対的に上昇させることにより、特定のランプの明るさを相対的に上昇させることができながら、発熱量を抑えることができる。
【００３１】
また、図６は、本発明の他の実施の形態にかかる信号の出力状態を示すものである。この図６に示すように、コモン信号ＣＯＭ１（またはコモン信号ＣＯＭ２、３）の選択期間（ＬＯＷ電圧である期間）に対して、開始時と終了時とは販売可ランプ信号１（または販売可ランプ信号２、３）を出力し、開始時と終了時との間の中間部の少なくとも一部は販売可ランプ信号１（または販売可ランプ信号２、３）を非出力状態としてもよい。
【００３２】
すなわち、図６においては、図４に示す場合と比較して、コモン信号ラインＣＯＭ１の選択期間に対して、販売可ランプ１のランプ信号出力を、１周期につき１／１４周期分減らしているが、消灯タイミングを挟んで点灯するように出力している。また、コモン信号ラインＣＯＭ２の選択期間に対して、販売可ランプ２のランプ信号出力を、１周期につき２／１４周期分減らしているが、消灯タイミングを挟んで交互に点灯するように出力している。また、また、コモン信号ラインＣＯＭ３の選択期間に対して、販売可ランプ３のランプ信号出力を、１周期につき２／１４周期分減らしているが、消灯タイミングを挟んで開始時と終了時のみ点灯するように出力している。
【００３３】
これに対して、図７は比較例を示すもので、この場合においては、コモン信号ラインＣＯＭ１の選択期間に対して、販売可ランプ１のランプ信号出力を、仮想線で示すように、出力の終了時に１／１４周期分減らしており、コモン信号ラインＣＯＭ２の選択期間に対して、販売可ランプ２のランプ信号出力を、出力の開始時と終了時とにそれぞれ１／１４周期分減らしており、コモン信号ラインＣＯＭ３の選択期間に対して、販売可ランプ３のランプ信号出力を、出力の開始時と終了時とにそれぞれ１／１４周期分減らしている。
【００３４】
ここで、図６、図７におけるｔ１〜ｔ３、ｔ１’〜ｔ３’は、販売可ランプＡが点灯しない最長継続時間を示しており、図６、図７に示すように、コモン信号ＣＯＭ１（またはコモン信号ＣＯＭ２、３）の選択期間（ＬＯＷ電圧である期間）に対して、開始時と終了時とは販売可ランプ信号１（または販売可ランプ信号２、３）を出力する場合の販売可ランプＡが点灯しない最長継続時間ｔ１〜ｔ３は、開始時や終了時に販売可ランプ信号１（または販売可ランプ信号２、３）を出力しない場合の販売可ランプＡが点灯しない最長継続時間ｔ１’〜ｔ３’よりも短めにできることがわかる。
【００３５】
図６に示すように、コモン信号ＣＯＭ１（またはコモン信号ＣＯＭ２、３）の選択期間に対して、開始時と終了時とは販売可ランプ信号１（または販売可ランプ信号２、３）を出力し、開始時と終了時との間の中間部の少なくとも一部は販売可ランプ信号１（または販売可ランプ信号２、３）を非出力状態とすることにより、図４に示すように、コモン信号ＣＯＭ１（またはコモン信号ＣＯＭ２、３）の選択期間に対して、常に販売可ランプ信号１（または販売可ランプ信号２、３）を出力する場合と比較して、販売可ランプＡの明るさが相対的に下がるので、販売可ランプＡの明るさは相対的に暗くなるけれども、図７の比較例に示すように、開始時や終了時に販売可ランプ信号１（または販売可ランプ信号２、３）を出力しない場合と比較して、販売可ランプＡが点灯しない最長継続時間（連続非点灯時間）を短めにすることができるので、図７に示すように出力制御した場合に比較して、販売可ランプＡを目で見た場合に、この販売可ランプＡの点灯の際のちらつきを抑えることができる。
【００３６】
なお、販売可ランプＡに代えて、売切ランプＢを制御したり、販売可ランプＡと売切ランプＢとの両方のランプを制御することも可能である。
また、上記実施の形態では、コモン信号の選択期間に対して、開始時と終了時とはランプ信号を出力し、開始時と終了時との間の中間部の少なくとも一部はランプ信号を非出力状態とした場合を述べたが、これに代えて、ランプ信号の出力期間に対して、開始時と終了時とはコモン信号を選択し、開始時と終了時との間の中間部の少なくとも一部はコモン信号を非選択状態としても、同様の作用効果を得ることができる。
【００３７】
なお、上記実施の形態の場合では、商品選択釦５に対応して、販売可ランプＡと売切ランプＢとが設けられている場合を述べたが、さらに準備中ランプが設けられているものにも同様な制御により対応可能であることはもちろんである。
【００３８】
また、上記の場合には、商品選択釦５に対応して設けられた、販売可ランプＡおよび売切ランプＢの発光ダイオード（ＬＥＤと称す）の場合を述べたが、これに限るものではなく、この制御手法は全てのＬＥＤに適用可能であり、例えば、投入金額表示部６のＬＥＤなどにも適用可能である。
【図面の簡単な説明】
【００３９】
【図１】本発明の実施の形態に係る自動販売機の全体図である。
【図２】同自動販売機の要部正面図である。
【図３】同自動販売機のランプ制御部等の回路構成を簡略的に示す図である。
【図４】同自動販売機の信号出力を示すタイムチャートである。
【図５】旧形式の自動販売機の出力信号を示すタイムチャートである。
【図６】本発明の他の実施の形態に係る自動販売機の信号出力を示すタイムチャートである。
【図７】比較例としての自動販売機の出力信号を示すタイムチャートである。
【符号の説明】
【００４０】
１      自動販売機本体
２      外扉
３      商品見本
４      見本棚
５      商品選択釦
６      投入金額表示部
１０    制御部
１０Ａ    販売可ランプ制御部
１０Ｂ    売切ランプ制御部
１０Ｃ    走査部
Ａ      販売可ランプ
Ｂ      売切ランプ
【図１】
2008108081.tif 000003
【図２】
2008108081.tif 000004
【図３】
2008108081.tif 000005
【図４】
2008108081.tif 000006
【図５】
2008108081.tif 000007
【図６】
2008108081.tif 000008
【図７】
2008108081.tif 000009